(57)【特許請求の範囲】
【請求項１】
画素電極と信号線、走査線、及び前記信号線や前記走査線を駆動する駆動手段が形成された第一の基板と、前記第一の基板に対向して設けられると共に共通電極が形成された第二の基板と、前記画素電極と前記共通電極の間に形成された液晶層とを含む液晶表示装置であって、
前記駆動手段から放射される電磁波をシールドするシールド手段を備え、
前記シールド手段は、前記共通電極と同じ透明電極からなるものであって、前記第一及び第二の基板と異なる第三の基板に形成されていることを特徴とする液晶表示装置。
【請求項２】
前記第一の基板には前記駆動手段に対して信号を入出力するための電極引出し線が形成され、
前記シールド手段は、前記共通電極が設けられていない領域であって前記電極引出し線の上部に配設されているものであることを特徴とする請求項１に記載の液晶表示装置。
【請求項３】
画素電極と信号線、走査線、及び前記信号線や前記走査線を駆動する駆動手段が形成された第一の基板と、前記第一の基板に対向して設けられると共に共通電極が形成された第二の基板と、前記画素電極と前記共通電極の間に形成された液晶層とを含む液晶表示装置であって、
前記駆動手段から放射される電磁波をシールドするシールド手段を備え、
前記シールド手段は、前記共通電極と同じ透明電極からなるものであって、
前記第一の基板には前記駆動手段に対して信号を入出力するための電極引出し線が形成され、前記電極引出し線に対向するよう配設された前記第一及び第二の基板と異なる第三の基板に形成され、前記電極引出し線から放射される電磁波をシールドする第二のシールド手段をさらに備え、
前記第二のシールド手段は、前記共通電極と同じ透明電極からなるものであることを特徴とする液晶表示装置。
【請求項４】
画素電極と信号線、走査線、前記信号線や前記走査線を駆動する駆動手段、及び前記駆動手段に対して信号を入出力するための電極引出し線が形成された第一の基板と、前記第一の基板に対向して設けられると共に共通電極が形成された第二の基板と、前記画素電極と前記共通電極の間に形成された液晶層とを含む液晶表示装置であって、
前記電極引出し線から放射される電磁波をシールドするシールド手段を備え、
前記シールド手段は、前記共通電極と同じ透明電極からなるものであって、前記第一及び第二の基板と異なる第三の基板に形成されていることを特徴とする液晶表示装置。
【請求項５】
前記シールド手段は前記第一及び第二の基板と異なる第三の基板に形成されると共に、前記駆動手段に対向するよう配設された第四の基板に形成され、前記駆動手段から放射される電磁波をシールドする第二のシールド手段をさらに備え、
前記第二のシールド手段は、前記共通電極と同じ透明電極からなるものであることを特徴とする請求項４に記載の液晶表示装置。
【請求項６】
画素電極と信号線、走査線、前記信号線や前記走査線を駆動する駆動手段、及び前記駆動手段に対して信号を入出力するための電極引出し線が形成された第一の基板と、前記第一の基板に対向して設けられると共に共通電極が形成された第二の基板と、前記画素電極と前記共通電極の間に形成された液晶層とを含む液晶表示装置であって、
前記第一及び第二の基板と異なる第三の基板において一体的に形成され、前記駆動手段及び前記電極引出し線から放射される電磁波をシールドするシールド手段を備え、
前記シールド手段は、前記共通電極と同じ透明電極からなるものであることを特徴とする液晶表示装置。
【請求項７】
前記シールド手段は、前記共通電極が設けられていない領域であって前記電極引出し線の上部に配設されているものであることを特徴とする請求項３、５、６のいずれかに記載の液晶表示装置。
【請求項８】
前記シールド手段は、前記共通電極が設けられていない領域であって前記駆動手段の上部に配設されているものであることを特徴とする請求項３、４、６のいずれかに記載の液晶表示装置。
【請求項９】
前記シールド手段は、前記共通電極が設けられていない領域であって前記駆動手段及び前記電極引出し線の上部に配設されているものであることを特徴とする請求項６に記載の液晶表示装置。
【請求項１０】
前記第二のシールド手段と前記共通電極とは、電気的には接続されていないことを特徴とする請求項３または５に記載の液晶表示装置。
【請求項１１】
前記第二のシールド手段には、前記共通電極に印加される電位とは異なる所定の電位が印加されていることを特徴とする請求項１０に記載の液晶表示装置。
【請求項１２】
前記シールド手段と前記共通電極とは、電気的には接続されていないことを特徴とする請求項１から１１のいずれかに記載の液晶表示装置。
【請求項１３】
前記シールド手段には、前記共通電極に印加される電位とは異なる所定の電位が印加されていることを特徴とする請求項１２に記載の液晶表示装置。
【請求項１４】
前記第二のシールド手段と前記第一の基板とを電気的に接続し、前記第二のシールド手段に所定の電圧を供給する電圧供給手段をさらに備えた請求項３、５、１０及び１１のいずれかに記載の液晶表示装置。
【請求項１５】
前記シールド手段と前記第一の基板とを電気的に接続し、前記シールド手段に所定の電圧を供給する電圧供給手段をさらに備えた請求項１から１４のいずれかに記載の液晶表示装置。
【発明の詳細な説明】
【技術分野】
【０００１】
本発明は、液晶表示装置に関するものである。
【背景技術】
【０００２】
現在において、ＴＦＴ（Thin Film Transistor）液晶パネルに代表されるアクティブマトリクス方式液晶表示装置は、一般家庭用ＴＶやＯＡ機器の表示装置として普及することが期待されている。これは、アクティブマトリクス方式液晶表示装置はＣＲＴに比べて容易に薄型で軽量なものとすることができ、かつＣＲＴに劣らない品質の画像を表示することができるためである。
【０００３】
そして、このアクティブマトリクス方式液晶表示装置は、薄型で軽量であるという利点に鑑み、ノート型パソコン等の携帯型情報機器だけでなく様々なマルチメディア情報機器へ活用することが求められている。また、狭額縁を実現したポリシリコンＬＣＤにおいては、その普及にあたりＥＭＩ（電磁妨害）対策が強化されることが求められている。
【０００４】
フラットパネルディスプレイの中でも品質の高い画像を表示するアクティブマトリクス方式液晶表示装置の構成について説明する。図１は、従来の液晶表示装置の構成を示す図である。図１に示されるように、従来の液晶表示装置１１はＴＦＴ基板１とＴＦＴ（薄膜トランジスタ）２、信号線３、走査線４、共通電極基板５、共通電極６、液晶層７、電極線（引出し線）８、信号線駆動回路９、走査線駆動回路１０及び画素電極２２を備える。なお、上記ＴＦＴ２と信号線３、走査線４、共通電極６、画素電極２２、及び画素電極２２と共通電極６の間に設けられた液晶層７により液晶パネルが構成される。
【０００５】
ここで、図２に示されるように、ＴＦＴ基板１にはＴＦＴ（薄膜トランジスタ）２からなるスイッチング素子と、信号線３及び走査線４と、ＴＦＴ２に接続された画素電極２２とが形成され、図１に示されるように、さらに周辺部分には信号線３を駆動する信号線駆動回路９や走査線４を駆動する走査線駆動回路１０及び電極（引出し線）８が形成される。また、共通電極基板５にはガラス基板上にＩＴＯ（透明電極）やカラーフィルタからなる共通電極６が形成される。
【０００６】
また、図２に示されるように、ＴＦＴ基板１上においてＴＦＴ２及び画素電極２２はマトリクス状に配設され、信号線３はＴＦＴ２を介して画素電極２２へ画像信号を供給し、走査線４は各画素へのデータ書き込みを制御するためのＴＦＴ２をオン・オフする制御信号を該ゲートへ伝送する。なお、このように信号線３と走査線４を駆動することにより、マトリクス状に配設された画素電極２２を介して画像を表示するユニットは、「アクティブマトリクス型液晶表示装置」と呼ばれる。
【０００７】
また、図１に示された液晶ユニット１１の断面構造が図３に示される。図３に示されるように、ＴＦＴ基板１の上にＴＦＴ２や信号線駆動回路９等が形成され、共通電極基板５に形成された共通電極６と画素電極２２の間には液晶層７が設けられる。そして、ＴＦＴ基板１と共通電極基板５はトランスファ１４ａにより電気的に接続される。なお、図３に示されるように、ＴＦＴ基板１と共通電極基板５の間であってトランスファ１４ａの外側の部分にはシール部１３が設けられ、ＴＦＴ基板１の上であって共通電極基板５に覆われない部分には電極（引出し線）８と保護膜１２が形成される。ここで、フレキシブル・フラットケーブル等のケーブルを用いて、電極（引出し線）８から外部装置へ各信号が伝達される。
【０００８】
上記のような構成を有する液晶表示装置１１においては、選択された行のＴＦＴ２がオンすることによって、信号線３に印加された画像信号電圧が各画素電極２２に書き込まれ、次に該行が選択されるまで電荷を保持することにより情報が保持される。このとき、保持された情報に対応して液晶層７に含まれた液晶分子の傾きが決まるため、光の透過量を制御することができ階調表示などが可能となる。なお、さらにカラー表示を行うには、ＲＧＢのカラーフィルタを用いることで光の混合を行うこととしている。
【０００９】
一方、上記のような液晶パネルの裏面にはバックライトと呼ばれる面光源を備えているが、最近ではこのバックライトを必要としない反射型液晶パネルが携帯情報機器において注目されている。これは、液晶パネルの内部に反射電極と呼ばれる層を備え、外部から供給された光を反射して液晶層を透過させることにより画像を表示するものである。
【００１０】
ここで、上記のような従来の液晶表示装置１１においては、ＴＦＴ基板１の周辺部に形成されている信号線駆動回路９や走査線駆動回路１０の上部にＩＴＯ（透明電極）や絶縁層のみしか設けられていないため、該駆動回路から発生するノイズを低減できていないという問題があり、特に高周波駆動時においてはＥＭＩ（電波妨害）を引き起こす可能性もある。
【００１１】
なお、図１及び図３に示された電極（引出し線）８においても、同様な問題を生じている。
【発明の概要】
【発明が解決しようとする課題】
【００１２】
本発明は、上述の問題を解消するためになされたもので、外部へ放出されるノイズ（電磁波）が低減された液晶表示装置を提供することを目的とする。
【課題を解決するための手段】
【００１３】
上記の目的は、画素電極と信号線、走査線、及び信号線や走査線を駆動する駆動手段が形成された第一の基板と、第一の基板に対向して設けられると共に共通電極が形成された第二の基板と、画素電極と共通電極の間に形成された液晶層とを含む液晶表示装置であって、駆動手段に対向するよう配設され、駆動手段から放射される電磁波をシールドするシールド手段を備えたことを特徴とする液晶表示装置を提供することにより達成される。このような手段によれば、簡易な構成により駆動手段から液晶表示装置の外部へ漏洩する電磁波を低減することができる。
【００１４】
また、シールド手段は、例えば第二の基板上に形成されたものとすることができる。一方、上記シールド手段を第一及び第二の基板と異なる第三の基板に形成すれば、シールド手段が形成される第三の基板を別個独立に製造することができる。
【００１５】
また、上記の第一の基板には駆動手段に対して信号を入出力するための電極引出し線が形成されると共に、電極引出し線に対向するよう配設された第一及び第二の基板と異なる第三の基板に形成されて電極引出し線から放射される電磁波をシールドする第二のシールド手段をさらに備えたものとすれば、電極引出し線から放射される電磁波が液晶表示装置の外部に漏洩することも回避することができる。
【００１６】
また、本発明の目的は、画素電極と信号線、走査線、信号線や走査線を駆動する駆動手段、及び駆動手段に対して信号を入出力するための電極引出し線が形成された第一の基板と、第一の基板に対向して設けられると共に共通電極が形成された第二の基板と、画素電極と共通電極の間に形成された液晶層とを含む液晶表示装置であって、電極引出し線に対向するよう配設され、電極引出し線から放射される電磁波をシールドするシールド手段を備えたことを特徴とする液晶表示装置を提供することにより達成される。このような手段によれば、簡易な構成により電極引出し線から液晶表示装置の外部へ漏洩する電磁波を低減することができる。
【００１７】
ここで、シールド手段は第一及び第二の基板と異なる第三の基板に形成されると共に、駆動手段に対向するよう配設された第四の基板に形成され、駆動手段から放射される電磁波をシールドする第二のシールド手段をさらに備えたものとすることにより、電極引出し線及び駆動手段から液晶表示装置の外部へ漏洩する電磁波を低減することもできる。
【００１８】
また、本発明の目的は、画素電極と信号線、走査線、信号線や走査線を駆動する駆動手段、及び駆動手段に対して信号を入出力するための電極引出し線が形成された第一の基板と、第一の基板に対向して設けられると共に共通電極が形成された第二の基板と、画素電極と共通電極の間に形成された液晶層とを含む液晶表示装置であって、駆動手段及び電極引出し線に対向するよう配設された、第一及び第二の基板と異なる第三の基板に一体的に形成され、駆動手段及び電極引出し線から放射される電磁波をシールドするシールド手段を備えたことを特徴とする液晶表示装置を提供することにより達成される。このような手段によれば、簡易な構成により、駆動手段及び電極引出し線から液晶表示装置の外部へ漏洩する電磁波を低減することができる。
【００１９】
なお、上記いずれの液晶表示装置においても、シールド手段と第一の基板とを電気的に接続し、シールド手段に所定の電圧を供給する電圧供給手段をさらに備えたものとすることができる。これにより、例えばシールド手段に接地電圧等を供給することによって、シールド手段による電磁波の遮蔽効果を高めることができる。
【００２０】
また、シールド手段を例えばアルミニウムやチタンからなるものとすれば、シールド手段のシート抵抗を低減することができると共に、共通電極と同じ材料からなるものとすれば、同一のプロセスにより共通電極とシールド手段を同時に形成することもできる。
【発明の効果】
【００２１】
上述の如く、本発明に係る液晶表示装置によれば、簡易な構成により駆動手段や電極引出し線から液晶表示装置の外部へ漏洩する電磁波を低減することができるため、有効にＥＭＩ（電磁妨害）対策を講じることができる。
【００２２】
また、シールド手段を第一及び第二の基板と異なる第三や第四の基板に形成すれば、シールド手段が形成される第三や第四の基板を別個独立に製造して、第一及び第二の基板と組み合わせることができるため、本発明に係る液晶表示装置を容易に得ることができる。
【００２３】
ここで、シールド手段と第一の基板とを電気的に接続し、シールド手段に所定の電圧を供給すれば、シールド手段による電磁波の遮蔽効果を高めることができるため、液晶表示装置の信頼性を高めることができる。
【００２４】
また、シールド手段を例えばアルミニウムやチタンからなるものとすれば、シールド手段のシート抵抗を低減することができるため、上記遮蔽効果をさらに高めることができる。
【００２５】
さらに、シールド手段を共通電極と同じ材料からなるものとすれば、同一のプロセスにより共通電極とシールド手段を同時に形成することができるため、製造工程数を増やすことなく容易に本発明に係る液晶表示装置を製造することができ、製造コストも低減することができる。
【図面の簡単な説明】
【００２６】
【図１】従来の液晶表示装置の構成を示す図である。
【図２】図１に示された液晶表示装置におけるパネル構造を示す平面図である。
【図３】図１に示された液晶表示装置の断面構造を示す図である。
【図４】本発明の実施の形態１に係る液晶表示装置の構成を示す図である。
【図５】図４に示された液晶表示装置の断面構造を示す図である。
【図６】本発明の実施の形態２に係る液晶表示装置の構成を示す図である。
【図７】図６に示された液晶表示装置の断面構造を示す図である。
【図８】本発明の実施の形態３に係る液晶表示装置の構成を示す図である。
【図９】図８に示された液晶表示装置の断面構造を示す図である。
【図１０】本発明の実施の形態４に係る液晶表示装置の構成を示す図である。
【図１１】図１０に示された液晶表示装置の断面構造を示す図である。
【図１２】本発明の実施の形態５に係る液晶表示装置の構成を示す図である。
【図１３】図１２に示された液晶表示装置の断面構造を示す図である。
【図１４】本発明の実施の形態６に係る液晶表示装置の構成を示す図である。
【図１５】図１４に示された液晶表示装置の断面構造を示す図である。
【発明を実施するための形態】
【００２７】
以下において、本発明の実施の形態を図面を参照して詳しく説明する。なお、図中同一符号は同一又は相当部分を示す。
【００２８】
本発明の実施の形態に係る液晶表示装置は、液晶パネルを構成するＴＦＴ基板の周辺回路及び電極（引出し線）の上層にシールド電極の層を形成し、駆動回路から発せられるノイズを低減し、ＥＭＩ（電波妨害）対策を強化したものである。なお、該シールド電極の電位は接地電位等の一定電位に安定させるとシールド効果が高まりＥＭＩ対策に有効である。以下において、より具体的に説明する。
【００２９】
［実施の形態１］
図４は本発明の実施の形態１に係る液晶表示装置２１の構成を示す図であり、図５は液晶表示装置２１の断面構造を示す図である。図４に示されるように、液晶表示装置２１はＴＦＴ基板１とＴＦＴ２、信号線３、走査線４、共通電極基板５、共通電極６、液晶層７、電極線（引出し線）８、信号線駆動回路９、走査線駆動回路１０、接地電極１５及び画素電極２２を備える。なお、上記ＴＦＴ２と信号線３、走査線４、共通電極６、画素電極２２、及び画素電極２２と共通電極６の間に設けられた液晶層７により液晶パネルが構成される。
【００３０】
ここで、ＴＦＴ基板１にはＴＦＴ（薄膜トランジスタ）２からなるスイッチング素子と、信号線３及び走査線４と、ＴＦＴ２に接続された画素電極２２が形成され、さらに周辺部分には信号線３を駆動する信号線駆動回路９や走査線４を駆動する走査線駆動回路１０及び電極（引出し線）８が形成される。
【００３１】
一方、本実施の形態１に係る液晶表示装置２１の共通電極基板５には、図１に示された従来の液晶表示装置１１と異なり、ＩＴＯ（透明電極）やカラーフィルタからなる共通電極６と共に、信号線駆動回路９や走査線駆動回路１０の上部に配設される接地電極（シールド電極）１５が形成される。
【００３２】
なお、ＴＦＴ基板１上においてＴＦＴ２及び画素電極２２はマトリクス状に配設され、信号線３は画素電極２２へ画像信号を供給し、走査線４は各画素へのデータ書き込みを制御するＴＦＴ２をオン・オフする制御信号を該ゲートへ伝送する点は、図１及び図２に示された従来の液晶表示装置１１と同様である。
【００３３】
また、図５に示されるように、共通電極６にはＴＦＴ基板１からトランスファ１４ａを介して共通電極電位が供給されると共に、接地電極１５はＴＦＴ基板１からトランスファ１４ｂを介して接地電位が供給される。
【００３４】
以上のような構成を有する本実施の形態１に係る液晶表示装置２１によれば、上記接地電極１５が信号線駆動回路９や走査線駆動回路１０から発せられる電磁波をシールドする役割を果たすため、液晶表示装置２１の外部に漏洩する電磁波を低減することができ、ＥＭＩ対策に有効となる。
【００３５】
［実施の形態２］
図６は、本発明の実施の形態２に係る液晶表示装置３１の構成を示す図であり、図７は液晶表示装置３１の断面構造を示す図である。図６に示されるように、液晶表示装置３１は上記実施の形態１に係る液晶表示装置２１と同様な構成を有するが、ＴＦＴ２及び画素電極（図示せず）や信号線３及び走査線４と、信号線駆動回路９及び走査線駆動回路１０を覆うように共通電極基板５（図７参照）が設けられ、電極線（引出し線）８の上部には接地電極１５が形成されたシールド基板１６（図７参照）を備える点で相違するものである。なお、上記共通電極基板５の全面に共通電極６が形成される。
【００３６】
また、図７に示されるように、電極（引出し線）８にフレキシブル・フラットケーブル２０が圧着され、その後にアルミニウムやチタンを用いて接地電極１５が形成されたシールド基板１６が電極（引出し線）８及び上記圧着部の上部に配設される。そして、該接地電極１５にはＴＦＴ基板１からトランスファ１４ｂを介して接地電位が供給される。トランスファ１４ｂの代わりにワイヤボンディング等により、接地電極１５を電気的にＴＦＴ基板１と接続してもよい。
【００３７】
ここで、上記のようにシールド基板１６は、ＴＦＴ基板１上でＴＦＴ２及び画素電極（図示せず）が形成されるいわゆる表示領域の外に配設されるため、目視される画像の範囲を狭めてしまうという問題も生じさせることがない。また、上記のように接地電極１５をアルミニウムやチタンを用いて形成すれば、シート抵抗を低減することができるためシールド効果をより高めることができる。
【００３８】
以上より本実施の形態２に係る液晶表示装置３１によれば、シールド基板１６に形成された接地電極１５が電極（引出し線）８から発せられる電磁波をシールドする役割を果たすため、液晶表示装置３１の外部に漏洩する電磁波を低減することができ、ＥＭＩ対策に有効となる。
【００３９】
また、本実施の形態２に係る液晶表示装置３１によれば、シールド基板１６は第一及び第二の基板と別個独立な部品とされるため、別個独立に製造することができると共に、従来の液晶表示装置をそのまま利用しつつシールド基板１６を組み合わせることによって、本実施の形態２に係る液晶表示装置を容易に製造することができる。
【００４０】
［実施の形態３］
図８は、本発明の実施の形態３に係る液晶表示装置４１の構成を示す図であり、図９は液晶表示装置４１の断面構造を示す図である。図８に示されるように、液晶表示装置４１は上記実施の形態２に係る液晶表示装置３１と同様な構成を有するが、ＴＦＴ２及び画素電極（図示せず）や、信号線３及び走査線４の上部に共通電極基板５が設けられ、信号線駆動回路９及び走査線駆動回路１０の上部には接地電極１５が形成されたシールド基板２６を備える点で相違するものである。
【００４１】
また、図９に示されるように、上記実施の形態２に係る液晶表示装置と同様、接地電極１５にはＴＦＴ基板１からトランスファ１４ｂを介して接地電位が供給される。
【００４２】
以上より本実施の形態３に係る液晶表示装置４１によれば、シールド基板２６に形成された接地電極１５が信号線駆動回路９及び走査線駆動回路１０から発せられる電磁波をシールドする役割を果たすため、液晶表示装置４１の外部に漏洩する電磁波を低減することができ、ＥＭＩ対策に有効となる。
【００４３】
なお、上記実施の形態２に係る液晶表示装置と同様に、シールド基板２６は第一及び第二の基板と別個独立な部品とされるため、別個独立に製造することができると共に、従来の液晶表示装置をそのまま利用しつつシールド基板２６を組み合わせることによって、本実施の形態３に係る液晶表示装置を容易に製造することができる。
【００４４】
［実施の形態４］
図１０は、本発明の実施の形態４に係る液晶表示装置５１の構成を示す図であり、図１１は液晶表示装置５１の断面構造を示す図である。図１０に示されるように、液晶表示装置５１は上記実施の形態３に係る液晶表示装置４１と同様な構成を有するが、電極（引出し線）８の上部に接地電極１５が形成されたシールド基板１６（図１１参照）をさらに備える点で相違するものである。
【００４５】
また、図１１に示されるように、上記実施の形態２及び３に係る液晶表示装置と同様に、シールド基板１６，２６に形成された接地電極１５にはそれぞれ、ＴＦＴ基板１からトランスファ１４ｂを介して接地電位が供給される。
【００４６】
以上より本実施の形態４に係る液晶表示装置５１によれば、シールド基板１６，２６に形成された各接地電極１５が信号線駆動回路９と走査線駆動回路１０及び電極（引出し線）８から発せられる電磁波をシールドする役割を果たすため、液晶表示装置５１の外部に漏洩する電磁波を低減することができ、ＥＭＩ対策に有効となる。
【００４７】
［実施の形態５］
図１２は、本発明の実施の形態５に係る液晶表示装置６１の構成を示す図であり、図１３は液晶表示装置６１の断面構造を示す図である。図１２に示されるように、液晶表示装置６１は上記実施の形態４に係る液晶表示装置５１と同様な構成を有するが、信号線駆動回路９と走査線駆動回路１０及び電極（引出し線）８の上部に、接地電極１５が一体的に形成されたシールド基板３６（図１３参照）をさらに備える点で相違するものである。すなわち、本実施の形態５に係る液晶表示装置６１では、上記実施の形態４に係る液晶表示装置５１における二つのシールド基板１６，２６が一体的に形成される。
【００４８】
また、図１３に示されるように、上記実施の形態４に係る液晶表示装置５１と同様に、シールド基板３６に形成された接地電極１５にはそれぞれ、ＴＦＴ基板１からトランスファ１４ｂを介して接地電位が供給される。
【００４９】
以上より本実施の形態５に係る液晶表示装置６１によれば、シールド基板３６に形成された接地電極１５が信号線駆動回路９と走査線駆動回路１０及び電極（引出し線）８から発せられる電磁波をシールドする役割を果たすため、液晶表示装置６１の外部に漏洩する電磁波を低減することができ、ＥＭＩ対策に有効となる。
【００５０】
また、本実施の形態５に係る液晶表示装置６１においては、シールド基板３６の面積が大きくなることからＴＦＴ基板１との間にトランスファ１４ｂを多数設けることができるため、シールド効果をより高めることができる。
【００５１】
［実施の形態６］
図１４は、本発明の実施の形態６に係る液晶表示装置７１の構成を示す図であり、図１５は液晶表示装置７１の断面構造を示す図である。図１４に示されるように、液晶表示装置７１は上記実施の形態１に係る液晶表示装置２１と同様な構成を有するが、電極（引出し線）８の上部に接地電極１５が形成されたシールド基板１６（図１５参照）をさらに備える点で相違するものである。
【００５２】
また、図１５に示されるように、上記実施の形態２及び４に係る液晶表示装置３１，５１と同様に、シールド基板１６に形成された接地電極１５にはそれぞれ、ＴＦＴ基板１からトランスファ１４ｂを介して接地電位が供給される。
【００５３】
以上より本実施の形態６に係る液晶表示装置７１によれば、共通電極基板５及びシールド基板１６に形成された接地電極１５が信号線駆動回路９と走査線駆動回路１０及び電極（引出し線）８から発せられる電磁波をシールドする役割を果たすため、液晶表示装置７１の外部に漏洩する電磁波を低減することができ、ＥＭＩ対策に有効となる。
【００５４】
また、上記実施の形態１から６に係る液晶表示装置において、接地電極１５を共通電極６と同じ材料からなるものとすれば、同一プロセスにより同時に形成することもでき、製造工程数を増やすことなく液晶表示装置を得ることができる。
【００５５】
また、上記のように、接地電極１５をアルミニウムやチタンにより形成すれば、接地電極１５のシート抵抗を下げ、シールド効果をさらに高めることができる。
【符号の説明】
【００５６】
１  ＴＦＴ基板
２  ＴＦＴ（薄膜トランジスタ）
３  信号線
４  走査線
５  共通電極基板
６  共通電極
７  液晶層
８  電極（引出し線）
９  信号線駆動回路
１０  走査線駆動回路
１１，２１，３１，４１，５１，６１，７１  液晶表示装置
１２  保護膜
１３  シール部
１４ａ，１４ｂ  トランスファ
１５  接地電極
１６，２６  シールド基板
２０  フレキシブル・フラットケーブル
２２  画素電極
【図１】
0005405637.tif 000002
【図２】
0005405637.tif 000003
【図３】
0005405637.tif 000004
【図４】
0005405637.tif 000005
【図５】
0005405637.tif 000006
【図６】
0005405637.tif 000007
【図７】
0005405637.tif 000008
【図８】
0005405637.tif 000009
【図９】
0005405637.tif 000010
【図１０】
0005405637.tif 000011
【図１１】
0005405637.tif 000012
【図１２】
0005405637.tif 000013
【図１３】
0005405637.tif 000014
【図１４】
0005405637.tif 000015
【図１５】
0005405637.tif 000016